(57)【要約】【課題】引き裂き紐の損傷を防止する治具、ケーブル外被の引き裂き方法を提供する。【解決手段】光ファイバ心線が収納されたケーブルコア１０を覆うケーブル外被１１を引き裂く引き裂き紐１２用の治具２０である。治具本体２１の内部に形成され、ケーブルコアの外周から引き出された引き裂き紐が挿通される孔部３０と、治具本体の外部に形成され、ケーブル外被を引き裂くエッジ部３１と、を有する。好ましくは、エッジ部の下端部に形成され、ケーブル外被と引き裂き紐との間に差し込まれる鍔部をさらに有する。【選択図】図１
2018092087.tif 000002
【特許請求の範囲】
【請求項１】
光ファイバ心線が収納されたケーブルコアを覆うケーブル外被を引き裂く引き裂き紐用の治具であって、
治具本体の内部に形成され、前記ケーブルコアの外周から引き出された前記引き裂き紐が挿通される孔部と、
前記治具本体の外部に形成され、前記ケーブル外被を引き裂くエッジ部と、
を有する、治具。
【請求項２】
前記エッジ部の下端部に形成され、前記ケーブル外被と前記引き裂き紐との間に差し込まれる鍔部をさらに有する、請求項１に記載の治具。
【請求項３】
光ファイバ心線が収納されたケーブルコアと該ケーブルコアを覆うケーブル外被との間に設けられた引き裂き紐を引っ張ることにより、前記ケーブル外被を引き裂くケーブル外被の引き裂き方法であって、
前記引き裂き紐を前記ケーブルコアから離して引き出す工程と、
引き出された該引き裂き紐を、治具の内部に設けられた孔部に挿通する工程と、
挿通された前記引き裂き紐を引っ張ることにより、前記治具に設けられたエッジ部を前記ケーブル外被に接触させて前記ケーブル外被を引き裂く工程と、
を含む、ケーブル外被の引き裂き方法。
【請求項４】
前記治具の先端下端部に設けられた鍔部を前記ケーブル外被と前記引き裂き紐との間に差し込む工程をさらに含む、請求項３に記載のケーブル外被の引き裂き方法。
【発明の詳細な説明】
【技術分野】
【０００１】
本発明は、治具、ケーブル外被の引き裂き方法に関し、詳細には、光ファイバ心線が収納されたケーブルコアを覆うケーブル外被を引き裂く引き裂き紐用の治具、ケーブル外被の引き裂き方法に関する。
【背景技術】
【０００２】
通信等に用いられるケーブルでは、通常光ファイバ心線を収納したケーブルコアの外周が、例えば押し出し成形によるケーブル外被（シースともいう）で覆われている。
光ファイバ心線を取り出す場合には、ケーブル外被をケーブルの長手方向で所定長さ（例えば５００ｍｍ程度）除去してケーブルコアを露出させる必要がある。このケーブル外被を容易に除去するために、ケーブル外被を引き裂くための引き裂き紐を、ケーブルコアとケーブル外被との間に予め埋設しておく構造がある。
【０００３】
引き裂き紐によるケーブル外被の引き裂きを容易に行うために、例えば、特許文献１には、引き裂き紐の強化を図った構造が開示されている。また、特許文献２には、引き裂き紐で引き裂かれるケーブル外被部分を薄くする構造が開示されている。さらに、特許文献３には、引き裂き紐の取り出しを容易にする構造が開示されている。
【先行技術文献】
【特許文献】
【０００４】
【特許文献１】特開平９−１０１４３８号公報
【特許文献２】実開平６−１５０１４号公報
【特許文献３】特開２０１４−３２３０２号公報
【発明の概要】
【発明が解決しようとする課題】
【０００５】
しかしながら、上記特許文献に記載の引き裂き紐の構造であっても、ケーブル外被に接触する位置（引き裂き面ともいう）で生じる、ケーブル外被との接触による摩擦により、引き裂き紐が損傷する場合がある。引き裂き紐が切断してしまうと、これを用いての外被の除去ができなくなるため、ケーブル外被との摩擦による引き裂き紐の損傷を防止する工夫が望まれる。
【０００６】
本発明は、上述のような実情に鑑みてなされたもので、引き裂き紐の損傷を防止する治具、ケーブル外被の引き裂き方法を提供することを目的とする。
【課題を解決するための手段】
【０００７】
本発明の一態様に係る治具は、光ファイバ心線が収納されたケーブルコアを覆うケーブル外被を引き裂く引き裂き紐用の治具であって、治具本体の内部に形成され、前記ケーブルコアの外周から引き出された前記引き裂き紐が挿通される孔部と、前記治具本体の外部に形成され、前記ケーブル外被を引き裂くエッジ部と、を有する。
【０００８】
本発明の一態様に係るケーブル外被の引き裂き方法は、光ファイバ心線が収納されたケーブルコアと該ケーブルコアを覆うケーブル外被との間に設けられた引き裂き紐を引っ張ることにより、前記ケーブル外被を引き裂くケーブル外被の引き裂き方法であって、前記引き裂き紐を前記ケーブルコアから離して引き出す工程と、引き出された該引き裂き紐を、治具の内部に設けられた孔部に挿通する工程と、挿通された前記引き裂き紐を引っ張ることにより、前記治具に設けられたエッジ部を前記ケーブル外被に接触させて前記ケーブル外被を引き裂く工程と、を含む。
【発明の効果】
【０００９】
上記によれば、引き裂き紐を利用してケーブル外被を引き裂く場合に、引き裂き紐の損傷を防止することができる。
【図面の簡単な説明】
【００１０】
【図１】本発明の第１実施形態による引き裂き紐用の治具の構成例を示す図である。
【図２】図１の引き裂き紐用の治具の使用例を説明するための図である。
【図３】本発明の第２実施形態による引き裂き紐用の治具の構成例を示す図である。
【図４】本発明の第３実施形態による引き裂き紐用の治具の構成例を示す図である。
【図５】本発明の第４実施形態による引き裂き紐用の治具の構成例を示す図である。
【図６】本発明の第５実施形態による引き裂き紐用の治具の構成例を示す図である。
【発明を実施するための形態】
【００１１】
［本発明の実施形態の説明］
最初に本発明の実施形態の内容を列記して説明する。
本発明の一態様に係る治具は、（１）光ファイバ心線が収納されたケーブルコアを覆うケーブル外被を引き裂く引き裂き紐用の治具であって、治具本体の内部に形成され、前記ケーブルコアの外周から引き出された前記引き裂き紐が挿通される孔部と、前記治具本体の外部に形成され、前記ケーブル外被を引き裂くエッジ部と、を有する。ケーブル外被は治具本体のエッジ部で引き裂かれるのに対し、ケーブルコアの外周から引き出された引き裂き紐は、治具本体の内部に保護されており、ケーブル外被を引き裂く際にケーブル外被に接触しない。よって、引き裂き紐を利用してケーブル外被を引き裂く場合に、引き裂き紐の損傷を防止することができる。
【００１２】
（２）前記エッジ部の下端部に形成され、前記ケーブル外被と前記引き裂き紐との間に差し込まれる鍔部をさらに有する。鍔部をケーブル外被と引き裂き紐との間に差し込むことにより、ケーブルに対する治具の姿勢を維持することができ、ケーブル外被の引き裂き作業が容易になる。また、引き裂き紐を引っ張るため、治具本体が前傾することもあるが、鍔部をケーブル外被と引き裂き紐との間に差し込むことにより、鍔部が刃物受けのように機能し、治具本体が前傾しても、エッジ部はケーブルコアに接触しない。よって、収納された光ファイバ心線の損傷も防止できる。
【００１３】
本発明の一態様に係るケーブル外被の引き裂き方法は、（３）光ファイバ心線が収納されたケーブルコアと該ケーブルコアを覆うケーブル外被との間に設けられた引き裂き紐を引っ張ることにより、前記ケーブル外被を引き裂くケーブル外被の引き裂き方法であって、前記引き裂き紐を前記ケーブルコアから離して引き出す工程と、引き出された該引き裂き紐を、治具の内部に設けられた孔部に挿通する工程と、挿通された前記引き裂き紐を引っ張ることにより、前記治具に設けられたエッジ部を前記ケーブル外被に接触させて前記ケーブル外被を引き裂く工程と、を含む。ケーブルコアの外周から引き出された引き裂き紐は、治具の内部に保護されており、ケーブル外被を引き裂く際にケーブル外被に接触しない。よって、引き裂き紐の損傷を防止することができる。
（４）前記治具の先端下端部に設けられた鍔部を前記ケーブル外被と前記引き裂き紐との間に差し込む工程をさらに含む。ケーブルに対する治具の姿勢を維持することができ、ケーブル外被の引き裂き作業が容易になる。また、鍔部が刃物受けのように機能し、治具本体が前傾しても、エッジ部はケーブルコアに接触しない。よって、収納された光ファイバ心線の損傷も防止できる。
【００１４】
［本発明の実施形態の詳細］
以下、添付図面を参照しながら、本発明による治具、ケーブル外被の引き裂き方法の好適な実施の形態について説明する。
図１は、本発明の第１実施形態による引き裂き紐用の治具の構成例を示す図であり、図示の治具２０と、引き裂き紐を利用してケーブル外被を引き裂くことができる。
【００１５】
詳しくは、引き裂き紐用の治具２０は、例えば略三角柱状の治具本体２１を有する。治具本体２１は、三角形状の上面２２および下面２３を有し、これらは例えば３ｍｍ程度の間隔で平行に配置されている。上面２２と下面２３は、図に向かって左側の角を先端部として、先端部に対する右側面２４、左側面２５、および背面２６の三面に連なっている。図１は治具の正面図であり、左側面２５が正面に見えている。
【００１６】
なお、治具本体２１は、例えば金属製であるが、ポリアセタール（ＰＯＭ）樹脂等のような、図２（Ａ）で説明するケーブル外被（例えばポリエチレン樹脂）よりも硬い材料であればよい。後述する治具本体のエッジ部の周辺だけをケーブル外被よりも硬い材料で形成することも可能である。
治具本体２１の内部には、円形の孔部３０（孔径は例えば１ｍｍ程度）が形成されている。孔部３０は上面２２と下面２３とを貫通して設けられている。
【００１７】
治具本体２１の外部、詳しくは、右側面２４と左側面２５との境界には、エッジ部３１が形成されている。
エッジ部３１は、ケーブルの径方向（ケーブルの長手方向に交差する方向）に沿って延びており、例えば図１に示すように形成されている。エッジ部３１の高さは例えば３ｍｍ程度である。
【００１８】
治具本体２１の下端部には、鍔部３４が形成されている。鍔部３４は、例えば、右側面２４や左側面２５の下端部に設けられ、図１に示すように、右側面２４や左側面２５よりも治具本体２１の外側に位置し、エッジ部３１の外側に延びるように形成されている。また、鍔部３４は、エッジ部３１の近傍が鋭角に形成されていてもよい。
【００１９】
なお、図１に示した孔部３０は同一径で形成されているが、下面側から引き裂き紐を孔部に挿入するのであれば、挿入しやすくするために、下面２３に近づくに連れて大径になるように形成してもよい。また、孔部は、例えばエッジ部に向けて凹状になるように湾曲させることも可能である。
また、治具本体２１の例えば背面２６には、作業者が持ちやすいように、その指で摘める持ち手を設置してもよい。
【００２０】
図２は、図１の引き裂き紐用の治具の使用例を説明するための図である。
図２（Ａ）はケーブルの断面図であり、ケーブル１は、断面円形のケーブルコア１０の外周がケーブル外被１１で覆われ、ケーブルコア１０とケーブル外被１１との間には、引き裂き紐１２がケーブル１の長手方向に沿って埋設されている。
ケーブルコア１０は、単心の光ファイバ心線または多心の光ファイバテープ心線（以下、光ファイバ心線等と称する。）を集合させ、その外側を押え巻きテープ等で束ねて光ファイバ心線等を内部に収納したもの、または、スロットロッドに光ファイバ心線等を収納し、押え巻きテープ等で保持したものをいうものとする。
【００２１】
光ファイバ心線等をケーブル１から取り出す場合、まず、カッタ等の刃物でケーブル外被１１に輪切り状の切り込みを二箇所入れる。次に、この切り込みを起点として、ケーブル外被１１を除去してケーブルコア１０を露出させる。これにより、ケーブルコア１０の外周に設けられた引き裂き紐１２も露出する。
続いて、このケーブルコア１０の外周に設けられた引き裂き紐１２をケーブルコア１０から離して引き出すために、露出した引き裂き紐１２に刃物で切り込みを一箇所入れて、露出した引き裂き紐１２の一端をフリー状態にする。
【００２２】
次いで、引き裂き紐用の治具２０を一方の手で摘み、引き出された引き裂き紐１２を他方の手で摘んで、この引き裂き紐１２の先端を図１で説明した治具２０の下面２３に持って行き、孔部３０に例えば下方（下面２３側）から入れて、上方（上面２２側）から引き出す。これにより、ケーブルコア１０の外周から引き出された引き裂き紐１２が孔部３０に挿通される。
【００２３】
そして、図２（Ｂ）に示すように、引き裂き紐１２を挿通させた引き裂き紐用の治具２０の先端下端部、詳しくは、図１で説明した鍔部３４をケーブル外被１１と引き裂き紐１２との間に差し込む。
続いて、孔部３０の上方に引き出された引き裂き紐１２を、この引き裂き紐１２の連なる方向（例えばケーブル１の長手方向、図２（Ｂ）の左方向）に沿って引っ張ると、治具２０の先端、具体的には、図１で説明したエッジ部３１がケーブル外被１１の一方の輪切り状の切り込み部分に接触し、ケーブル外被１１が引き裂かれる。なお、鍔部３４を用いず、エッジ部３１だけでケーブル外被１１を引き裂いてもよいが、後記するような利点があるため、鍔部３４はあった方が好ましい。
【００２４】
そして、引き裂き紐１２をさらに引っ張り続けることにより、ケーブル外被１１を所定長さ（例えば５００ｍｍ程度）引き裂けば、ケーブルコアが広範囲に露出する。この露出したケーブルコアから光ファイバ心線等を取り出す。
このように、ケーブル外被１１は治具２０のエッジ部３１で引き裂かれるのに対し、ケーブルコア１０の外周から引き出された引き裂き紐１２は、治具２０の孔部３０内に保護されており、ケーブル外被１１を引き裂く際にケーブル外被１１に接触しない。よって、引き裂き紐１２を利用してケーブル外被１１を引き裂く場合に、引き裂き紐１２の損傷を防止することができる。
なお、孔部３０の角部にＲを付けておくことで、さらに引き裂き紐１２の損傷を防止することができる。
【００２５】
また、鍔部３４をケーブル外被１１と引き裂き紐１２との間に差し込むことにより、ケーブル１に対する治具２０の姿勢を維持することができ、ケーブル外被１１の引き裂き作業が容易になる。また、引き裂き紐１２をケーブル１の長手方向に沿って引っ張る際、治具２０が引っ張る方向に前傾することもあるが、鍔部３４をケーブル外被１１と引き裂き紐１２との間に差し込むことにより、鍔部３４が刃物受けのように機能し、治具２０が前傾しても、エッジ部３１はケーブルコア１０に接触しない。よって、収納された光ファイバ心線等の損傷も防止できる。
【００２６】
また、治具２０の治具本体２１に、孔部３０、エッジ部３１、鍔部３４が一体形成されていることで、コンパクトな治具２０でケーブル外被１１を容易に引き裂くことができる。
【００２７】
図３は、本発明の第２実施形態による引き裂き紐用の治具の構成例を示す図である。図３では治具２０の正面図のほか、平面図も示している。この第２実施形態では、上記第１実施形態と同様に、エッジ部３１と、鍔部３４が形成されている。
一方、上面２２および下面２３は、図３の左側が右側よりも下方に位置するように傾斜して配されており、下面２３の下方には空洞が設けられている。このように、上面２２（下面２３）をエッジ部３１の端に対して傾斜して配してもよい。なお、第１実施形態と同様の機能を奏する符号には同じ符号を付し、詳細な説明を省略する。
【００２８】
また、図４は、本発明の第３実施形態による引き裂き紐用の治具の構成例を示す図である。図４でも治具２０の正面図や平面図を示している。この第３実施形態でも、上記第１、第２実施形態と同様に、エッジ部３１と、鍔部３４が形成されている。また、上記第２実施形態と同様に、上面２２および下面２３が、図４の左側が右側よりも下方に位置するように傾斜して配されている。
【００２９】
一方、上面２２および下面２３は五角形状に形成され、第１右側面２４ａや第１左側面２５ａ、第２右側面２４ｂや第２左側面２５ｂ、背面２６の五面に連なっている。第１右側面２４ａと第１左側面２５ａとの境界には、エッジ部３１が形成され、第１右側面２４ａや第１左側面２５ａの下端部には、エッジ部３１の外側に延びるように鍔部３４が形成されている。
また、第１右側面２４ａ、第１左側面２５ａは、そのまま延長されているわけでは無く、途中で曲がって、第２右側面２４ｂと第２左側面２５ｂとが平行に配されるようになっている。これにより、治具本体２１の小型化を達成できる。
【００３０】
図５は、本発明の第４実施形態による引き裂き紐用の治具の構成例を示す図である。図５でも治具２０の正面図や平面図を示している。この第４実施形態では、上記第１実施形態と同様に、三角形状の上面２２や下面２３を有し、鍔部３４がエッジ部３１の外側に延びるように形成されている。
しかし、エッジ部３１は、上部に近づくに連れて後退するように傾斜して形成されており、エッジ部３１の上端部３２の位置が下端部３３の位置よりも、治具２０の進行方向でみて後方に配置されている。
【００３１】
この第４実施形態によれば、孔部３０から引き出された引き裂き紐１２をケーブルの長手方向に沿って引っ張る際に、まず、エッジ部３１の下端３３の近傍だけがケーブル外被に接触するので、ケーブル外被を容易に引き裂き始めることができる。
【００３２】
図６は、本発明の第５実施形態による引き裂き紐用の治具の構成例を示す図である。図６では治具２０の正面図を示している。この第５実施形態では、上記第１、２、４実施形態と同様に、三角形状の上面２２や下面２３を有し、エッジ部３１が形成されている。
しかし、鍔部３４は、先端に近づくに連れて上方を向くように傾斜して形成されており、鍔部３４の先端部３５の位置が根元部３６の位置よりも上方に配置されている。
【００３３】
この第５実施形態によれば、孔部３０から引き出された引き裂き紐１２をケーブルの長手方向に沿って引っ張って治具２０が傾いた際に、鍔部３４がケーブルに対して水平となって安定するので、治具２０が引っ張る方向に前傾しても、治具２０を引っ張りやすくなる。
【００３４】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００３５】
１…ケーブル、１０…ケーブルコア、１１…ケーブル外被、１２…引き裂き紐、２０…引き裂き紐用の治具、２１…治具本体、２２…上面、２３…下面、２４…右側面、２４ａ…第１右側面、２４ｂ…第２右側面、２５…左側面、２５ａ…第１左側面、２５ｂ…第２左側面、２６…背面、３０…孔部、３１…エッジ部、３２…上端部、３３…下端部、３４…鍔部、３５…先端部、３６…根元部。                                                                                
【図１】
2018092087.tif 000003
【図２】
2018092087.tif 000004
【図３】
2018092087.tif 000005
【図４】
2018092087.tif 000006
【図５】
2018092087.tif 000007
【図６】
2018092087.tif 000008